(57)【特許請求の範囲】
【請求項１】
各病室（Ｒ１、Ｒ２、…、Ｒｎ）の出入口に設置され各種患者情報を表示する病院用情報表示板（Ｄ１、Ｄ２、…、Ｄｎ）であって、
前記病院用情報表示板のそれぞれは、前記各種患者情報などを記憶しておく記憶部（２２）と、患者、看護婦、医師又は見舞人などの使用者が所有するＩＤカード（２３）に記憶されているＩＤ番号を読み出し、使用者の識別を行なうＩＤ番号識別部（２４）と、前記ＩＤ番号に基づく各種患者情報を表示する表示部（２５）と、前記記憶部、前記ＩＤカード、前記ＩＤ番号識別部、前記表示部を制御するＣＰＵ（２６）とを有し、
前記患者、看護婦、医師又は見舞人などの特定の人が携帯する前記ＩＤカードを前記ＩＤ番号識別部に接近させることにより、前記病院用情報表示板の表示部に前記病室内の患者の氏名を伏せて表示された前記病室内の患者のプライバシーを保護するための画面が前記ＩＤ番号に基づく前記病室内の患者の氏名を備える各種患者情報を表示する画面に切り替えられることを特徴とする病院用情報表示板。
【発明の詳細な説明】
【０００１】
【発明の属する技術分野】
本発明は、病院用情報表示板に係わり、特に、病室の出入口に設置される病院用情報表示板に関する。
【従来の技術】
【０００２】
従来、病室の出入口に設置される病院用情報表示板を有するナースコールシステムとしては、図４に示すようなものが知られている。
【０００３】
同図において、従来のナースコールシステムは、ナースセンターｎｃに設けられた制御装置１０と、複数の病室ｒ１、ｒ２、…、ｒｎの各出入口に設けられた病院用情報表示板ｄ１、ｄ２、…、ｄｎとを備えており、制御装置１０は、伝送路Ｌ１０を介して各病院用情報表示板ｄ１、ｄ２、…、ｄｎに接続されている。
【０００４】
各病院用情報表示板ｄ１、ｄ２、…、ｄｎは、図５（ａ）に示すように、それぞれ切替ボタン５１と、液晶表示パネル５２とを備えており、各液晶表示パネル５２には、それぞれ病室番号５３および絵柄５４の画面が映し出されている。ここで、液晶表示パネル５２に絵柄５４の画面を映し出しているのは、後述するように、患者の氏名を絵柄５４で置換し、患者の氏名を伏せることによって、病室内の患者のプライバシーを保護するためである。
【０００５】
次に、このような構成のナースコールシステムの動作について説明する。
【０００６】
先ず、ナースセンターｎｃの制御装置１０から、病室番号および絵柄を表示するためのデータ信号Ｓ１０が伝送路Ｌ１０を介して各病室ｒ１、ｒ２、…、ｒｎの病院用情報表示板ｄ１、ｄ２、…、ｄｎへ送出される。これにより、各病院用情報表示板ｄ１、ｄ２、…、ｄｎの液晶表示パネル５２に、図５（ａ）に示すように、「４０１」の病室番号５３および「熊」の絵柄５４の画面が表示される。
【０００７】
ここで、切替ボタン５１を押下すると、液晶表示パネル５２の表示画面が切り替えられ、これにより、図５（ｂ）に示すように、液晶表示パネル５２に、「４０１−１」の第１の病室・ベット番号５５および「山田太郎」の第１の氏名５６並びに「４０１−２」の第２の病室・ベット番号５７および「鈴木花子」の第２の氏名５８の画面が映し出される。
【発明が解決しようとする課題】
【０００８】
しかしながら、このような構成の病院用情報表示板においては、一つの病室内に複数の患者が居る場合は、一つの液晶表示パネルの表示画面に複数の病室・ベット番号と複数の氏名が表示されることから、複数の患者をそれぞれ別個の絵柄で表示することが困難であるという難点があった。また、各病室の出入口に設置された病院用情報表示板は同一の操作によって液晶表示パネルの表示画面を容易に切替えることができることから、一旦、病院用情報表示板の切替操作を習得すれば、何人でも容易に液晶表示パネルの表示画面を切替えることができ、ひいては、特に用事のない人によって、液晶表示パネルの表示画面が切替えられるおそれがあった。従って、従来の病院用情報表示板においては、真に、病室内の患者のプライバシーを保護することができないという難点があった。
【０００９】
本発明は、このような難点を解決するためになされたもので、病院用情報表示板に、病室単位の情報に代えて患者単位の情報を表示し、また、患者、看護婦、医師又は見舞人などの特定の人が携帯するＩＤカードの利用により、病院用情報表示板に当該使用人に適したデータを表示させることで、患者のプライバシーを保護することができる病院用情報表示板を提供することを目的としている。
【課題を解決するための手段】
【００１０】
この目的を達成するため、本発明の病院用情報表示板は、各病室の出入口に設置され各種患者情報を表示する病院用情報表示板であって、病院用情報表示板のそれぞれは、各種患者情報などを記憶しておく記憶部と、患者、看護婦、医師又は見舞人などの使用者が所有するＩＤカードに記憶されているＩＤ番号を読み出し、使用者の識別を行なうＩＤ番号識別部と、ＩＤ番号に基づく各種患者情報を表示する表示部と、記憶部、ＩＤカード、ＩＤ番号識別部、表示部を制御するＣＰＵとを有し、患者、看護婦、医師又は見舞人などの特定の人が携帯するＩＤカードをＩＤ番号識別部に接近させることにより、病院用情報表示板の表示部に病室内の患者の氏名を伏せて表示された病室内の患者のプライバシーを保護するための画面がＩＤ番号に基づく病室内の患者の氏名を備える各種患者情報を表示する画面に切り替えられることを特徴としている。
【００１１】
本発明の病院用情報表示板によれば、ＩＤ番号が記憶されたＩＤカードの利用することで、液晶表示パネルの表示画面にＩＤ番号に基づく各種患者情報を表示させることができることから、病室単位の情報ではなく患者単位の情報を表示することができる。また、患者、看護婦、医師又は見舞人などの特定の人以外には、病室内の患者情報が察知されるおそれがないことから、患者のプライバシーを保護することができる。
【発明の実施の形態】
【００１２】
以下、本発明の病院用情報表示板を適用した好ましい実施の形態例について、図面を参照して詳述する。
【００１３】
図１は、本発明の病院用情報表示板を有するナースコールシステムのシステム構成図を示している。同図において、本発明の病院用情報表示板を有するナースコールシステムは、ナースセンターＮＣに設けられた制御装置１と、複数の病室Ｒ１、Ｒ２、…、Ｒｎの各出入口に設けられた病院用情報表示装置Ｄ１、Ｄ２、…、Ｄｎとを備えており、制御装置１は、伝送路Ｌ１を介して各病院用情報表示装置Ｄ１、Ｄ２、…、Ｄｎに接続されている。
【００１４】
各病院用情報表示装置Ｄ１、Ｄ２、…、Ｄｎは、図２に示されるように、それぞれ制御装置１とデータの送受信を行なう送受信部２１と、各種患者情報などを記憶しておく記憶部２２と、患者、看護婦、医師又は見舞人などの使用者が所有するＩＤ番号が記憶されたＩＤカード２３と、ＩＤカードに記憶されているＩＤ番号を読み出し、使用者の識別を行なうＩＤ番号識別部２４と、ＩＤ番号に基づく各種患者情報を表示する表示部２５と、記憶部２２、ＩＤカード２３、ＩＤ番号識別部２４および表示部２５を制御するＣＰＵ２６とを備えている。ここで、各ＣＰＵ２６は、それぞれ送受信部２１、記憶部２２、ＩＤ番号識別部２４および表示部２５に接続され、各送受信部２１は、それぞれ伝送路Ｌ１を介して制御装置１に接続されている。
【００１５】
図３（ａ）は、各病院用情報表示板Ｄ１、Ｄ２、…、Ｄｎの正面図を示している。同図において、各病院用情報表示板Ｄ１、Ｄ２、…、Ｄｎは、それぞれ液晶表示パネル３１を備えており、ある液晶表示パネル３１には、例えば、「１０１」の病室番号３２および「熊」の絵柄３３の画面が映し出されている。なお、液晶表示パネル３１に映し出される表示画面は、後述するＩＤカード２３の接近等により、図３（ｂ）に示すように、「１０１−１」の第１の病室・ベッド番号３４および「山田太郎」の第１の氏名３５の画面若しくは図３（ｃ）に示すように、「１０１−２」の第２の病室・ベッド番号３６および「鈴木花子」の第２の氏名３７の画面に切替えられるように構成されている。
【００１６】
次に、このように構成された本発明の病院用情報表示板を有するナースコールシステムの動作について説明する。
【００１７】
先ず、ナースセンターＮＣ内の制御装置１から、各種患者情報を表示するためのデータ信号Ｓ１が伝送路Ｌ１を介して各病院用情報表示板Ｄ１、Ｄ２、…、Ｄｎのデータ信号受信回路２１へ送出される。この実施例では、例えば、病室Ｒ１に設置された病院用情報表示板Ｄ１の送受信部２１へ、各種患者情報を表示するためのデータ信号Ｓ１が送出される。ここで、各種患者情報を表示するためのデータ信号Ｓ１は、例えば、病室番号３２および絵柄３３を表示するための第１のデータ信号と、第１の病室・ベッド番号３４および氏名３５を表示するための第２のデータ信号と、第２の病室・ベッド番号３６および氏名３７を表示するための第３のデータ信号とで構成されている。
【００１８】
そして、かかるデータ信号Ｓ１がＣＰＵ２６で検出されると、ＣＰＵ２６の制御により、当該データ信号Ｓ１が、記憶部２２へ送出されるとともに、第１のデータ信号が抽出されて表示部２５へ送出される。これにより、表示部２５に、すなわち、液晶表示パネル３１に、図３（ａ）に示すように、「１０１」の病室番号３２および「熊」の絵柄３３の画面が表示される。
【００１９】
この状態において、例えば、見舞人が第２のデータ信号に対応するＩＤ番号が記憶されたＩＤカード２３をＩＤ番号識別部２４に接近させると、ＩＤ番号識別部２４からＩＤカード２３に対して電磁誘導により電源が供給される。これにより、ＩＤカード２３が能動となり、ＩＤカード２３に記憶されているＩＤ番号を含有する信号が無線で発信され、これがＩＤ番号識別部２４で受信される。そして、このＩＤ番号を含有する信号がＣＰＵ２６で検出されると、記憶部２２から第２のデータ信号が抽出され、この第２のデータ信号が表示部２５へ送出される。これにより、表示部２５に、すなわち、液晶表示パネル３１に、図３（ｂ）に示すように、「１０１−１」の第１の病室・ベッド番号３４および「山田太郎」の第１の氏名３５が表示される。
【００２０】
同様に、第３のデータ信号に対応するＩＤ番号が記憶されたＩＤカード２３をＩＤ番号識別部２４に接近させると、前述と同様に、ＩＤカード２３が能動となり、ＩＤ番号を含有する信号がＣＰＵ２６で検出され、記憶部２２から第３のデータ信号が抽出され、第３のデータ信号が表示部２５へ送出される。これにより、表示部２５に、すなわち、液晶表示パネル３１に、図３（ｃ）に示すように、「１０１−２」の第２の病室・ベッド番号３６および「鈴木花子」の第２の氏名３７が表示される。
【００２１】
なお、以上の実施例では、ＩＤカードをＩＤ番号識別部に近接させることによってＩＤ番号を認識させる場合について述べているが、本発明はこれに限定されず、例えば、ＩＤカードに金属製の端子を取付けて、この端子をＩＤ番号識別部に接触させることによってＩＤ番号を認識させてもよい。
【発明の効果】
【００２２】
以上の説明から明らかなように、本発明の病院用情報表示板によれば、ＩＤ番号が記憶されたＩＤカードの利用することで、液晶表示パネルの表示画面にＩＤ番号に基づく各種患者情報を表示させることができることから、病室単位の情報ではなく患者単位の情報を表示することができる。また、患者、看護婦、医師又は見舞人などの特定の人以外には、病室内の患者情報が察知されるおそれがないことから、患者のプライバシーを保護することができる。
【図面の簡単な説明】
【００２３】
【図１】本発明の病院用情報表示板を有するナースコールシステムの構成図。
【図２】本発明の病院用情報表示板のブロック図。
【図３】本発明の病院用情報表示板の正面図で、図３（ａ）は、液晶表示パネルに病室番号および絵柄の画面を表わした状態を示す説明図、図３（ｂ）は、液晶表示パネルに第１の病室・ベット番号および患者の氏名の画面を表わした状態を示す説明図、図３（ｃ）は、液晶表示パネルに第２の病室・ベット番号および患者の氏名の画面を表わした状態を示す説明図。
【図４】従来の病院用情報表示板を有するナースコールシステムの構成図。
【図５】従来の病院用情報表示板の正面図で、図５（ａ）は、液晶表示パネルに病室番号および絵柄の画面を表わした状態を示す説明図、図５（ｂ）は、液晶表示パネルに第１、第２の病室・ベット番号および患者の氏名の画面を表わした状態を示す説明図。
【符号の説明】
【００２４】
Ｒ１、Ｒ２、…、Ｒｎ・・・・病室
Ｄ１、Ｄ２、…、Ｄｎ・・・・病院用情報表示板
２２・・・・・・・・・・・・記憶部
２３・・・・・・・・・・・・ＩＤカード
２４・・・・・・・・・・・・ＩＤ番号識別部
２５・・・・・・・・・・・・表示部
２６・・・・・・・・・・・・ＣＰＵ
【図１】
0004880146.tif 000002
【図２】
0004880146.tif 000003
【図３】
0004880146.tif 000004
【図４】
0004880146.tif 000005
【図５】
0004880146.tif 000006